【手続補正書】
【提出日】平成27年6月8日(2015.6.8)
【手続補正１】
【補正対象書類名】明細書
【補正対象項目名】発明の名称
【補正方法】変更
【補正の内容】
【発明の名称】コンテンツ配信システム、配信サーバ、コンテンツ配信方法、及び送信端末
【手続補正２】
【補正対象書類名】明細書
【補正対象項目名】００１０
【補正方法】変更
【補正の内容】
【００１０】
送信端末と受信端末がネットワークを介して配信サーバに接続され、前記送信端末から前記受信端末へ前記配信サーバを経由して映像コンテンツを送信するコンテンツ配信システムであって、前記配信サーバは、前記受信端末を特定する情報を登録したデータベースと、前記送信端末から送信された映像コンテンツを格納する格納部と、前記送信端末および前記受信端末と情報の送受信を行う送受信部と、を有し、前記送信端末は、前記配信サーバに映像コンテンツと、前記映像コンテンツを受信する受信端末を特定する情報と、を送信する送信部を有し、前記配信サーバは、前記送信端末が送信した前記映像コンテンツを受信する受信端末を特定する情報に基づき、前記受信端末に前記送信端末が送信した映像コンテンツを受信するか否かの問い合わせを通知し、前記受信端末が映像コンテンツの受信を承認した場合に、前記配信サーバは前記データベースに前記映像コンテンツを受信する受信端末を特定する情報を登録し、前記格納部に格納された前記映像コンテンツを前記受信端末が受信することを許可し、前記配信サーバは前記受信端末から要求があった場合に、前記映像コンテンツを前記受信端末に送信することを特徴とする。
【手続補正３】
【補正対象書類名】特許請求の範囲
【補正対象項目名】全文
【補正方法】変更
【補正の内容】
【特許請求の範囲】
【請求項１】
送信端末と受信端末がネットワークを介して配信サーバに接続され、前記送信端末から前記受信端末へ前記配信サーバを経由して映像コンテンツを送信するコンテンツ配信システムであって、
前記配信サーバは、
前記受信端末を特定する情報を登録したデータベースと、前記送信端末から送信された映像コンテンツを格納する格納部と、
前記送信端末および前記受信端末と情報の送受信を行う送受信部と、を有し、
前記送信端末は、前記配信サーバに映像コンテンツと、前記映像コンテンツを受信する受信端末を特定する情報と、を送信する送信部を有し、
前記配信サーバは、前記送信端末が送信した前記映像コンテンツを受信する受信端末を特定する情報に基づき、前記受信端末に前記送信端末が送信した映像コンテンツを受信するか否かの問い合わせを通知し、
前記受信端末が映像コンテンツの受信を承認した場合に、前記配信サーバは前記データベースに前記映像コンテンツを受信する受信端末を特定する情報を登録し、前記格納部に格納された前記映像コンテンツを前記受信端末が受信することを許可し、
前記配信サーバは前記受信端末から要求があった場合に、前記映像コンテンツを前記受信端末に送信する
ことを特徴とするコンテンツ配信システム。
【請求項２】
請求項１に記載のコンテンツ配信システムであって、
前記送信端末が前記配信サーバの前記データベースに既に登録された受信端末に送信するための新たな映像コンテンツを前記配信サーバに送信した場合に、
前記配信サーバは前記受信端末に新たな映像コンテンツを受信可能である旨の通知を送信する
ことを特徴とするコンテンツ配信システム。
【請求項３】
請求項１または２に記載のコンテンツ配信システムであって、
前記送信端末は複数あり、前記配信サーバは、前記データベースに複数の前記送信端末を登録しており、登録された複数の前記送信端末からの新たな映像コンテンツの送信を受け付ける
ことを特徴とするコンテンツ配信システム。
【請求項４】
送信端末と受信端末がネットワークを介して配信サーバに接続され、前記送信端末から前記受信端末へ前記配信サーバを経由して映像コンテンツを送信するコンテンツ配信システムにおける配信サーバであって、
前記受信端末を特定する情報を登録したデータベースと、前記送信端末から送信された映像コンテンツと、を格納する格納部と、
前記送信端末および前記受信端末と情報の送受信を行う送受信部と、を有し、
前記送受信部は、前記送信端末が送信した映像コンテンツと、前記映像コンテンツを受信する受信端末を特定する情報と、を受信し、
前記配信サーバは、前記送信端末が送信した前記映像コンテンツを受信する受信端末を特定する情報に基づき、前記受信端末に前記送信端末が送信した映像コンテンツを受信するか否かの問い合わせを通知し、
前記受信端末が映像コンテンツの受信を承認した場合に、前記配信サーバは前記データベースに前記映像コンテンツを受信する受信端末を特定する情報を登録し、前記格納部に格納された前記映像コンテンツを前記受信端末が受信することを許可し、
前記配信サーバは前記受信端末から要求があった場合に、前記映像コンテンツを前記受信端末に送信する
ことを特徴とする配信サーバ。
【請求項５】
請求項４に記載の配信サーバであって、
前記送信端末が前記配信サーバの前記データベースに既に登録された受信端末に送信するための新たな映像コンテンツを前記配信サーバに送信した場合に、
前記受信端末に新たな映像コンテンツを受信可能である旨の通知を送信する
ことを特徴とする配信サーバ。
【請求項６】
請求項４または５に記載の配信サーバであって、
前記送信端末は複数あり、前記配信サーバは、前記データベースに複数の前記送信端末を登録しており、登録された複数の前記送信端末からの新たな映像コンテンツの送信を受け付ける
ことを特徴とする配信サーバ。
【請求項７】
送信端末と受信端末がネットワークを介して配信サーバに接続され、前記送信端末から前記受信端末へ前記配信サーバを経由して映像コンテンツを送信するコンテンツ配信システムにおけるコンテンツ配信方法であって、
前記送信端末は、前記配信サーバに映像コンテンツと、前記映像コンテンツを受信する受信端末を特定する情報と、を送信し、
前記配信サーバは、前記送信端末が送信した前記映像コンテンツを受信する受信端末を特定する情報に基づき、前記受信端末に前記送信端末が送信した映像コンテンツを受信するか否かの問い合わせを通知し、
前記受信端末が映像コンテンツの受信を承認した場合に、前記配信サーバは前記データベースに前記映像コンテンツを受信する受信端末を特定する情報を登録し、格納部に格納された前記映像コンテンツを前記受信端末が受信することを許可し、
前記配信サーバは前記受信端末から要求があった場合に、前記映像コンテンツを前記受信端末に送信することを特徴とするコンテンツ配信方法。
【請求項８】
請求項７に記載のコンテンツ配信方法であって、
前記送信端末が前記配信サーバの前記データベースに既に登録された受信端末に送信するための新たな映像コンテンツを前記配信サーバに送信した場合に、
前記受信端末に新たな映像コンテンツを受信可能である旨の通知を送信する
ことを特徴とするコンテンツ配信方法。
【請求項９】
請求項７または８に記載のコンテンツ配信方法であって、
前記送信端末は複数あり、前記配信サーバは、前記データベースに複数の前記送信端末を登録しており、登録された複数の前記送信端末からの新たな映像コンテンツの送信を受け付ける
ことを特徴とするコンテンツ配信方法。
【請求項１０】
受信端末へ配信サーバを経由して映像コンテンツを送信する送信端末であって、
前記配信サーバは、
前記受信端末を特定する情報を登録したデータベースと、前記送信端末から送信された映像コンテンツを格納する格納部と、
前記送信端末および前記受信端末と情報の送受信を行う送受信部と、を有しており、
前記送信端末は、前記配信サーバに映像コンテンツと、前記映像コンテンツを受信する受信端末を特定する情報と、を送信する送信部を有しており、
前記配信サーバは、前記送信端末が送信した前記映像コンテンツを受信する受信端末を特定する情報に基づき、前記受信端末に前記送信端末が送信した映像コンテンツを受信するか否かの問い合わせを通知し、
前記受信端末が映像コンテンツの受信を承認した場合に、前記配信サーバは前記データベースに前記映像コンテンツを受信する受信端末を特定する情報を登録し、前記格納部に格納された前記映像コンテンツを前記受信端末が受信することを許可し、
前記配信サーバは前記受信端末から要求があった場合に、前記映像コンテンツを前記受信端末に送信する
ことを特徴とする送信端末。
【請求項１１】
請求項１０に記載の送信端末であって、
前記送信端末が前記配信サーバの前記データベースに既に登録された受信端末に送信するための新たな映像コンテンツを前記配信サーバに送信した場合に、
前記配信サーバは前記受信端末に新たな映像コンテンツを受信可能である旨の通知を送信する
ことを特徴とする送信端末。